【事件の表示】
　平成　４年特許願第３３２６２８号「高周波加熱装置」拒絶査定に対する審判事件［平成　６年　７月　８日出願公開、特開平　６−１８５７３５］について、次のとおり審決する。
【結　論】
　本件審判の請求は、成り立たない。
【理　由】
１．手続の経緯・本願発明
  本願は、平成４年１２月１４日の出願であって、その請求項１に係る発明（以下、「本願発明」という。）は、明細書及び図面の記載からみて、次のとおりのものと認める。
「調理情報を表示する表示部と、調理の種類、調理時間、調理の温度、調理物の重量等の入力内容を選定する１ヶの入力手段と、前記入力内容を切り換えるキー部と、前記表示部、前記入力手段、前記キー部を制御する制御部を備え、前記入力手段とキー部とを繰り返し使用することにより順次入力内容を入力するとともに前記入力内容をその都度前記表示部に表示する高周波加熱装置。」
２．引用例
  これに対して、原査定の拒絶の理由に引用された特開平３−６７９２４号公報（以下、「引用例１」という。）には、「調理物を加熱する高周波発生手段と、複数のスイッチと、調理メニューや調理時間、温度、重量等よりなる調理情報を入力するタイマーつまみと、前記調理情報を表示する表示手段と、前記スイッチとタイマーつまみにより入力された情報に基づいて、前記高周波発生手段等を制御するとともに前記タイマーつまみの調理メニューの選択確認と調理温度の選択確認を行う制御手段を備えたことを特徴とする高周波加熱装置。」（特許請求の範囲）が記載され、該高周波加熱装置に関して、「１つのタイマーつまみの操作によって、調理メニュー、調理時間、重量、調理温度の設定を行うことができ、また調理メニュー、調理温度の選択確認をスイッチの入力で行うことができるので、操作パネルが簡潔になり、操作が行い易くなった。」（公報第２頁左上欄第１３行〜第１８行）との記載、「第３図に、各調理メニューの番号と、これに対応する必要な操作と確定スイッチの意味とを示した。・・・８は制御手段としてのマイクロコンピュータ（以下マイコンと呼ぶ）」（公報第２頁右上欄第１５行〜第２０行）の記載、「マイコン８のＲＯＭ部８ｃには、タイマーつまみ６で入力された各種情報を表示手段４に示し、その後、スタートスイッチ５ａを入力すると、この加熱機能で所定加熱を行う働きを持たせてある」（公報第２頁左下欄第１９行〜同右上欄第３行）との記載、「第５図に示すように、調理時間または重量の設定が必要な調理メニューに対しては、ヒューズランプ１４があり、確定スイッチ５ｂの下部に位置し、駆動するように設定してある。さらにマニュアルオーブン調理のように温度設定が必要な調理メニューにたいしても、ヒューズランプ１４を駆動するように設定してある。」（公報第３頁左上欄第４行〜第１０行）との記載、「また、マイコン８のＲＯＭ部８ｃには、時計モードの状態からタイマーつまみ６の正回転を１回行うと「レンジ強」、・・・というように調理メニューを・・・認識し、その調理メニューを表示手段４に示すように設定してある。」（公報第３頁左上欄第１１行〜１８行）との記載がある。また、「第７図において、タイマーつまみ６を回転して、「レンジ強」に調理メニューを設定すると、ヒューズランプ１４が点灯する。つぎに確定スイッチ５ｂを入力すると、ヒューズランプ１４が消灯し、タイマーつまみ６を回転して調理時間（１分３０秒）を設定すると、スタートスイッチ５ａの入力可能状態となる。」（公報第３頁右上欄第４行〜第１０行）との記載があり、第７図からは、調理メニューを設定するときには調理メニューの、時間を設定するときには「分、秒」の表示が現れ、何を設定しているのかわかるようになっていることが把握できる。また、「第９図でタイマーつまみ６を回転して「オーブン調理」に調理メニューを設定すると、ヒューズランプ１４が点灯する。つぎに、確定スイッチを入力してもヒューズランプ１４は点灯のままである。さらにタイマーつまみ６を回転して調理温度を設定し、確定スイッチ５ｂを入力するとヒューズランプ１４は消灯し、タイマーつまみを回転して、調理時間（２０分００秒）を設定するとスター���スイッチ５ａの入力可能状態となる。」（公報第３頁右上欄第１６行〜同頁左下欄第４行）との記載があり、第９図からは、その表示手段において、調理メニューを設定するときには調理メニューの表示が、また、調理温度を設定するときには、メニュー設定時とは異なる表示が、さらに、調理時間設定時には、「分、秒」の表示が現れ、何を設定しているかわかるようになっていることが把握できる。そして、発明の効果欄には、「本発明によれば上記のような構成としたので、操作パネルに操作パネルにすべてのメニュー表示を必要とせず、表示手段に現れる表示に従って選択すればよく、操作パネルのスペースが小さくなり、コストダウンになる。また、操作パネルが簡潔になり、所望のメニュースイッチを探す手間がなくなる等使い勝手のよい高周波加熱装置を提供することができる。」（公報第３頁左下欄第６行〜第１３行）との記載がある。
  また、原査定の拒絶の理由に引用された実願昭６１−８１６９号（実開昭６２−１２０１０９号）のマイクロフィルム（以下、「引用例２」という。）には、
「調理時間、調理温度、出力パワーレベル等の各調理条件を設定する設定部と、前記各調理条件に対応して複数個設けられ各調理条件の設定が可能であることを表示する表示エレメントとを備え、前記各表示エレメントの表示が一定時間毎に順次切替わるとともに、表示されている表示エレメントに対応する調理条件が前記設定部の操作によって設定されるようになされたことを特徴とする調理装置。」（実用新案登録請求の範囲）が記載され、該調理装置に関して、「時間の表示エレメント２は、これが点燈しているとき回転体１の操作によって時間の設定が可能であることを示し、％の表示エレメント３は、これが点燈しているとき回転体１の操作によって出力パワーレベルの設定が可能であることを示し、温度の表示エレメント４は、これが点灯しているとき回転体１の操作によって温度の設定が可能であることを示すものである。これら各表示エレメント２，３，４の点燈は、調理条件を設定するとき、一定時間毎に時間、％、温度の順で切替わるようになされている。すなわち、時間、％、温度の各設定可能期間がこの順番で順次切替わることになる。また、表示部５は、前記回転体１の操作によって回転角に応じた時間、出力パワーレベル（％）、温度のいずれかの値を適宜表示するものである。」（明細書第６頁第８行〜同第７頁第３行）との記載が、図面とともに示されている。
３．対比
  本願発明（前者）と引用例１に記載された発明（後者）を対比すると、後者における「表示手段４」、「調理メニュー」、「タイマーつまみ６」、「マイクロコンピュータ８」が、その機能に照らして、それぞれ前者における「表示部」、「調理の種類」、「入力手段」、「制御部」に相当している。
　したがって、両者は、「調理情報を表示する表示部と、調理の種類、調理時間、調理の温度、調理物の重量等の入力内容を選定する１ヶの入力手段と、入力内容切り換え手段と、前記表示部、前記入力手段と入力内容切り換え手段を制御する制御部を備え、前記入力手段と上記切り換え手段とを使用することにより順次入力内容を入力するとともに前記入力内容を前記表示部に表示する高周波加熱装置。」である点で一致し、以下イ、ロの点で相違している。
イ．前者が、入力内容を切り換えるキー部を備え、入力手段とキー部とを繰り返し使用することにより順次入力内容を入力するようにしているのに対し、後者が、これに対応する特定の入力切り換え手段に関する記載がない点。
ロ．前者が、入力内容をその都度表示部に表示するようにしているのに対して、後者のものにおいては、その都度表示する点について、必ずしも明らかでない点。
４．当審の判断
  上記相違点について以下検討する。
相違点イについて
　後者のものにおいては、入力内容の切り換えを行う１つの部材は見当たらないが、２．でみたように、タイマーつまみの回転で入力内容が切り替わる場合と、タイマーつまみの回転と確定スイッチの入力を経て入力が切り替わる場合とが示されている。これは、タイマーつまみが、入力手段と切り換え手段とを兼ねる場合があることを示すものである。
　したがって、本願発明のように、入力手段と切り換え手段とを別個のものとし、入力内容を切り換えるキー部を備え、入力手段とキー部とを繰り返し使用することにより順次入力内容を入力するようにした点は、上記引用例１に記載のものから、必要に応じて当業者なら適宜想到しえた設計的事項である。
相違点ロについて
　引用例２（ただし、引用例２における「回転体」、　「表示部及び表示エレメント」、及び「調理装置」が、本願発明の「入力手段」、「表示部」、「高周波加熱　装置」に相当している。）には、調理時間、調理温度などの入力内容をその都度表示部に表示する高周波加熱装置が記載されている。
　引用例１に記載のものと引用例２に記載のものは、高周波加熱装置という共通の技術分野に属するものであるから、引用例１に記載のものにおいて、本願発明のもののように引用例２に記載の構成を用いた点は、当業者が必要に応じて適宜なしえたものである。
　そして、本願発明を全体としてみても、本願発明の奏する効果は、各引用例に記載の事項から当業者が予測しうる範囲のものである。
５．むすび
  したがって、本願発明は、引用例１及び２に記載されたものに基いて当業者が容易に発明をすることができたものであるので、特許法第２９条第２項の規定により特許を受けることができない。
  よって、結論のとおり審決する。